Podtech/llm-jp-corpus-v4-ja_patent huggingface dataset:
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
少なくとも上下二段に重ねられた複数の記録シート積載供給部を備え、該上段の記録シート積載供給部は該上段の記録シート積載供給部に積載されている記録シートＰ１を分離し供給搬送する上段ローラ、および該記録シートＰ１に当接可能に該上段ローラを保持して軸を中心に回動する上段側のアームを含み、該下段の記録シート積載供給部は該下段の記録シート積載供給部に積載されている記録シートＰ２を分離し供給搬送する下段ローラ、および該記録シートＰ２に当接可能に該下段ローラを保持して軸を中心に回動する下段側のアームを含む記録装置において、
前記下段側のアームが、前記上段の記録シート積載供給部の、前記記録シートＰ１，Ｐ２の供給搬送方向とは交差する方向に関して外側に位置することを特徴とする記録装置。
【請求項２】
請求項１に記載の記録装置において、
前記上段および下段の記録シート積載供給部がそれぞれ、複数枚の記録シートを重ねて収容するカセットを有することを特徴とする記録装置。
【請求項３】
請求項２に記載の記録装置において、
前記上段または下段の記録シート積載供給部としての前記カセットが記録装置に対して着脱自在にされていることを特徴とする記録装置。
【請求項４】
請求項２に記載の記録装置において、
前記上段の記録シート積載供給部としての前記カセットが、前記記録シートの供給搬送方向に前記上段ローラの下を通ってスライド自在に構成されていることを特徴とする記録装置。
【請求項５】
請求項１に記載の記録装置において、
前記下段側のアームが、前記上段の記録シート積載供給部の、前記記録シートＰ１，Ｐ２の供給搬送方向とは交差する方向に関して両側にそれぞれ配設されており、前記下段ローラをそれぞれの前記下段側のアームを介して前記両側から駆動するように構成されていることを特徴とする記録装置。
【請求項６】
請求項１に記載の記録装置において、
前記上段ローラによって供給搬送される前記記録シートＰ１が前記下段ローラの上を通過するように構成されていることを特徴とする記録装置。
【請求項７】
請求項１に記載の記録装置において、
前記上段側および下段側のアームの回動の中心となる軸が同じであることを特徴とする記録装置。
【請求項８】
請求項１に記載の記録装置において、
前記上段および下段の記録シート積載供給部は、記録シートの供給搬送方向とは交差する方向に関する該記録シートの端部の位置決めを行う位置決め手段を有し、該位置決め手段は該記録シートのセンタを基準に位置が可変することを特徴とする記録装置。
【請求項９】
請求項１から８のいずれか１項に記載の記録装置において、
前記上段ローラによって供給搬送される前記記録シートＰ１、および前記下段ローラによって供給搬送される前記記録シートＰ２に記録を行う記録手段を有することを特徴とする記録装置。
【請求項１０】
少なくとも上下二段に重ねられた複数のシート積載供給部を備え、該上段のシート積載供給部は該上段のシート積載供給部に積載されているシートＰ１を分離し供給搬送する上段ローラ、および該シートＰ１に当接可能に該上段ローラを保持して軸を中心に回動する上段側のアームを含み、該下段のシート積載供給部は該下段のシート積載供給部に積載されているシートＰ２を分離し供給搬送する下段ローラ、および該シートＰ２に当接可能に該下段ローラを保持して軸を中心に回動する下段側のアームを含む搬送装置において、
前記下段側のアームが、前記上段のシート積載供給部の、前記シートＰ１，Ｐ２の供給搬送方向とは交差する方向に関して外側に位置することを特徴とする搬送装置。
【手続補正２】
【補正対象書類名】明細書
【補正対象項目名】００１７
【補正方法】変更
【補正の内容】
【００１７】
本発明の一態様は、少なくとも上下二段に重ねられた複数の記録シート積載供給部を備え、該上段の記録シート積載供給部は該上段の記録シート積載供給部に積載されている記録シートＰ１を分離し供給搬送する上段ローラ、および該記録シートＰ１に当接可能に該上段ローラを保持して軸を中心に回動する上段側のアームを含み、該下段の記録シート積載供給部は該下段の記録シート積載供給部に積載されている記録シートＰ２を分離し供給搬送する下段ローラ、および該記録シートＰ２に当接可能に該下段ローラを保持して軸を中心に回動する下段側のアームを含む記録装置において、
前記下段側のアームが、前記上段の記録シート積載供給部の、前記記録シートＰ１，Ｐ２の供給搬送方向とは交差する方向に関して外側に位置することを特徴とする。
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
ボスに結合された固定状態の固定ハニカム状吸着素子と、着脱自在の着脱ハニカム素子とを有し、前記着脱ハニカム状吸着素子は前記固定ハニカム吸着素子よりも薄く形成され、さらに前記着脱ハニカム状吸着素子は複数のおうぎ形に分割され、前記固定ハニカム吸着素子は前記分割された着脱ハニカム状吸着素子を装着するため金属で作られた骨材を有し、この骨材に前記分割された着脱ハニカム状吸着素子を装着したことを特徴とする吸着ロータ。
【請求項２】
着脱ハニカム状吸着素子が吸着ロータ処理入口側に位置することを特徴とする請求項１記載の吸着ロータ。
【請求項３】
着脱ハニカム状吸着素子が吸着ロータ再生入口側に位置することを特徴とする請求項１記載の吸着ロータ。
【請求項４】
着脱ハニカム状吸着素子が吸着ロータの周方向に移動させることで骨材から脱離するようにしたことを特徴とする請求項１記載の吸着ロータ。
【請求項５】
前記着脱ハニカム状吸着素子のハニカムサイズが前記固定ハニカム状吸着素子のハニカムサイズより小さいことを特徴とする請求項１ないし４のいずれかに記載の吸着ロータ
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
固液回収タンクと、
沈砂池の水中に没される開口部を有する第１の吸引輸送管と、
前記第１の吸引輸送管に接続された第２の吸引輸送管と、
一端部が前記第２の吸引輸送管に接続され、他端部が前記固液回収タンクに接続された第３の吸引輸送管と、
前記固液回収タンク、前記第１の吸引輸送管、前記第２の吸引輸送管、および前記第３の吸引輸送管の内部を減圧する減圧装置と、
前記沈砂池の最高水位よりも上方の位置で前記第１の吸引輸送管に接続された大気開放管と、
前記大気開放管を通じて前記第１の吸引輸送管の前記大気開放管との接続部を大気開放するための大気開放弁と、
前記大気開放弁を閉じて前記沈砂池に堆積した沈砂を水とともに固液混合体として前記第１の吸引輸送管内に吸引し、その水位が前記大気開放管との接続部よりも上方に上昇したときに前記大気開放弁を開くことにより前記接続部よりも上方に輸送用水柱を形成し、前記輸送用水柱に作用する大気圧と前記固液回収タンクの真空度との差により前記輸送用水柱を前記固液回収タンクに輸送し、前記輸送用水柱の全体が前記固液回収タンクに入る直前に前記大気開放弁を閉じ、前記大気開放弁の開閉を繰り返すことにより前記輸送用水柱の形成と輸送とを繰り返す制御部とを備え、
前記第１の吸引輸送管は、前記第３の吸引輸送管の口径よりも大きい口径を有し、
前記第２の吸引輸送管は、前記第１の吸引輸送管の口径と同じ又はそれよりも大きい口径を有する沈砂堆積部と、前記沈砂堆積部の下流側に配置された漸縮管とを有することを特徴とする揚砂輸送装置。
【請求項２】
固液回収タンクと、
沈砂池の水中に没される開口部を有する第１の吸引輸送管と、
前記第１の吸引輸送管に接続された第２の吸引輸送管と、
一端部が前記第２の吸引輸送管に接続され、他端部が前記固液回収タンクに接続された第３の吸引輸送管と、
前記固液回収タンク、前記第１の吸引輸送管、前記第２の吸引輸送管、および前記第３の吸引輸送管の内部を減圧する減圧装置と、
前記沈砂池の最高水位よりも上方の位置で前記第１の吸引輸送管に接続された大気開放管と、
前記大気開放管を通じて前記第１の吸引輸送管の大気開放管との接続部を大気開放するための大気開放弁と、
前記第１の吸引輸送管に接続された空気注入管と、
前記第１の吸引輸送管の内部に空気を送り込む空気移送装置と、
前記空気注入管を通じて前記空気移送装置によって前記第１の吸引輸送管の前記空気注入管との接続部から空気を前記吸引輸送管の内部に注入するための空気注入弁と、
前記大気開放弁および前記空気注入弁を閉じて前記沈砂池に堆積した沈砂を水とともに固液混合体として前記第１の吸引輸送管内に吸引し、その水位が前記沈砂池の水位よりも上方に上昇したときに前記空気注入弁を開くことにより前記空気注入管との接続部より上方の固液混合体を上方に押し上げ、前記大気開放弁を開くとともに前記空気注入弁を閉じることにより前記大気開放管との接続部よりも上方に輸送用水柱を形成し、前記輸送用水柱に作用する大気圧と前記固液回収タンクの真空度との差により前記輸送用水柱を前記固液回収タンクに輸送し、前記輸送用水柱の全体が前記固液回収タンクに入る直前に前記大気開放弁を閉じ、前記大気開放弁および前記空気注入弁の開閉を繰り返すことにより前記輸送用水柱の形成と輸送とを繰り返す制御部とを備え、
前記第１の吸引輸送管は、前記第３の吸引輸送管の口径よりも大きい口径を有し、
前記第２の吸引輸送管は、前記第１の吸引輸送管の口径と同じ又はそれよりも大きい口径を有する沈砂堆積部と、前記沈砂堆積部の下流側に配置された漸縮管とを有することを特徴とする揚砂輸送装置。
【請求項３】
前記第１の吸引輸送管の口径は、前記第３の吸引輸送管の口径の１．５〜２．５倍であることを特徴とする請求項１または２に記載の揚砂輸送装置。
【請求項４】
前記沈砂堆積部は、水平方向に延びることを特徴とする請求項１乃至３のいずれか一項に記載の揚砂輸送装置。
【請求項５】
前記第２の吸引輸送管と前記第３の吸引輸送管との間には、前記第３の吸引輸送管の口径よりも小さい内径を有するオリフィスが配置されていることを特徴とする請求項１乃至４のいずれか一項に記載の揚砂輸送装置。
【請求項６】
前記沈砂堆積部の容積は、前記第３の吸引輸送管の断面積に該第３の吸引輸送管の長さ２ｍ〜１０ｍ分を乗じて得られる容積に等しいことを特徴とする請求項１乃至５のいずれか一項に記載の揚砂輸送装置。
【請求項７】
前記沈砂堆積部は、堆積した沈砂を除去するためのハンドホールを備えたことを特徴とする請求項１乃至６のいずれか一項に記載の揚砂輸送装置。
【請求項８】
前記沈砂堆積部には、堆積した沈砂を除去するための自動沈砂除去装置が接続されていることを特徴とする請求項１乃至７のいずれか一項に記載の揚砂輸送装置。
【請求項９】
前記沈砂堆積部内の沈砂堆積量を検出する沈砂堆積量検出器をさらに備えたことを特徴とする請求項１乃至８のいずれか一項に記載の揚砂輸送装置。
【請求項１０】
前記沈砂堆積量検出器は、前記第２の吸引輸送管の入口圧力と出口圧力との差から沈砂堆積量を検出することを特徴とする請求項９に記載の揚砂輸送装置。
【請求項１１】
前記第３の吸引輸送管から分岐し、前記沈砂池の内部まで延びる第４の吸引輸送管をさらに備えたことを特徴とする請求項１乃至１０のいずれか一項に記載の揚砂輸送装置。
【請求項１２】
沈砂池に堆積した沈砂を真空吸引により液体とともに揚砂し、回収するための揚砂輸送装置において、
前記沈砂池内の水中に一端部が没された大口径の第１の吸引輸送管と、
前記第１の吸引輸送管の他端部に接続され、複数のエルボ管および複数の横引き配管とにより渦巻き状に構成された第２の吸引輸送管と、
一端部が前記第２の吸引輸送管に接続された通常口径の第３の吸引輸送管と、
前記第３の吸引輸送管の他端部に接続された固液回収タンクと、
前記固液回収タンクに接続された真空装置と、を備えたことを特徴とする揚砂輸送装置。
【手続補正２】
【補正対象書類名】明細書
【補正対象項目名】００１２
【補正方法】変更
【補正の内容】
【００１２】
本発明の好ましい態様は、前記沈砂堆積部内の沈砂堆積量を検出する沈砂堆積量検出器をさらに備えたことを特徴とする。
本発明の好ましい態様は、前記沈砂堆積量検出器は、前記第２の吸引輸送管の入口圧力と出口圧力との差から沈砂堆積量を検出することを特徴とする。
本発明の好ましい態様は、前記第３の吸引輸送管から分岐し、前記沈砂池の内部まで延びる第４の吸引輸送管をさらに備えたことを特徴とする。
本発明の他の態様は、沈砂池に堆積した沈砂を真空吸引により液体とともに揚砂し、回収するための揚砂輸送装置において、前記沈砂池内の水中に一端部が没された大口径の第１の吸引輸送管と、前記第１の吸引輸送管の他端部に接続され、複数のエルボ管および複数の横引き配管とにより渦巻き状に構成された第２の吸引輸送管と、一端部が前記第２の吸引輸送管に接続された通常口径の第３の吸引輸送管と、前記第３の吸引輸送管の他端部に接続された固液回収タンクと、前記固液回収タンクに接続された真空装置と、を備えたことを特徴とする。
【手続補正書】
【提出日】平成26年1月30日(2014.1.30)
【手続補正１】
【補正対象書類名】特許請求の範囲
【補正対象項目名】請求項１
【補正方法】変更
【補正の内容】
【請求項１】
図柄変動ゲームの始動条件を付与する始動手段と、前記始動手段で遊技球が検知されたことに基づいて当りか否かの当り判定を行う当り判定手段と、前記当り判定で当りと判定された場合に開放される入賞手段と、前記入賞手段を開放するラウンド遊技により構成される当り遊技を実行させる当り遊技制御手段と、前記当り遊技終了後の遊技状態を制御する遊技状態制御手段と、を備え、前記遊技状態制御手段は、当り遊技終了後の遊技状態として、前記当り判定で当りと判定する確率を高確率とする確率変動状態及び前記始動手段への遊技球の入球確率を向上させる入球率向上状態を付与可能な遊技機において、
前記当り判定で当りと判定された場合に、遊技者に付与される特典の有利度合いが異なる複数種類の当りの中からいずれかを決定する当り決定手段と、
前記当り判定で当りと判定されたときの遊技状態が遊技者にとって有利な有利遊技状態であったか否かを判定する遊技状態判定手段と、を備え、
前記複数種類の当りには、前記当り判定で当りと判定されたときの遊技状態が有利遊技状態である場合、及び前記有利遊技状態を除く遊技状態の何れの状態である場合であっても、同じ特典を付与する当りを含み、
前記当り決定手段は、前記有利遊技状態と判定された場合、遊技者にとって最も有利な特典を付与する高特典当りを決定する一方で、前記有利遊技状態を除く遊技状態と判定された場合、前記高特典当り、又は前記高特典当りよりも有利度の低い低特典当りのいずれかを決定することを特徴とする遊技機。
【手続補正２】
【補正対象書類名】特許請求の範囲
【補正対象項目名】請求項４
【補正方法】変更
【補正の内容】
【請求項４】
前記有利遊技状態を除く遊技状態は、その有利度合いが段階的に異なる複数の遊技状態を含み、
前記低特典当りが決定された場合、前記当り判定で当りと判定されたときの遊技状態の有利度合いが大きいほど、付与される特典の有利度合いも大きくなることを特徴とする請求項１〜請求項３のうちいずれか一項に記載の遊技機。
【手続補正３】
【補正対象書類名】特許請求の範囲
【補正対象項目名】請求項５
【補正方法】変更
【補正の内容】
【請求項５】
複数の図柄列で演出図柄を変動させて図柄組み合わせを導出させる図柄組み合わせゲームを表示装置にて行わせるようになっており、
前記有利遊技状態と該有利遊技状態を除く遊技状態とで、前記低特典当りが決定されたときに導出される当りの図柄組み合わせを異ならせる一方で、
前記有利遊技状態と該有利遊技状態を除く遊技状態とで、前記同じ特典を付与する当りが決定されたときに導出される当りの図柄組み合わせを同一としたことを特徴とする請求項１〜請求項４のうちいずれか一項に記載の遊技機。
【手続補正４】
【補正対象書類名】明細書
【補正対象項目名】０００６
【補正方法】変更
【補正の内容】
【０００６】
上記問題点を解決するために、請求項１に記載の発明は、図柄変動ゲームの始動条件を付与する始動手段と、前記始動手段で遊技球が検知されたことに基づいて当りか否かの当り判定を行う当り判定手段と、前記当り判定で当りと判定された場合に開放される入賞手段と、前記入賞手段を開放するラウンド遊技により構成される当り遊技を実行させる当り遊技制御手段と、前記当り遊技終了後の遊技状態を制御する遊技状態制御手段と、を備え、前記遊技状態制御手段は、当り遊技終了後の遊技状態として、前記当り判定で当りと判定する確率を高確率とする確率変動状態及び前記始動手段への遊技球の入球確率を向上させる入球率向上状態を付与可能な遊技機において、前記当り判定で当りと判定された場合に、遊技者に付与される特典の有利度合いが異なる複数種類の当りの中からいずれかを決定する当り決定手段と、前記当り判定で当りと判定されたときの遊技状態が遊技者にとって有利な有利遊技状態であったか否かを判定する遊技状態判定手段と、を備え、前記複数種類の当りには、前記当り判定で当りと判定されたときの遊技状態が有利遊技状態である場合、及び前記有利遊技状態を除く遊技状態の何れの状態である場合であっても、同じ特典を付与する当りを含み、前記当り決定手段は、前記有利遊技状態と判定された場合、遊技者にとって最も有利な特典を付与する高特典当りを決定する一方で、前記有利遊技状態を除く遊技状態と判定された場合、前記高特典当り、又は前記高特典当りよりも有利度の低い低特典当りのいずれかを決定することを要旨とする。
【手続補正５】
【補正対象書類名】明細書
【補正対象項目名】０００９
【補正方法】変更
【補正の内容】
【０００９】
請求項４に記載の発明は、請求項１〜請求項３のうちいずれか一項に記載の遊技機において、前記有利遊技状態を除く遊技状態は、その有利度合いが段階的に異なる複数の遊技状態を含み、前記低特典当りが決定された場合、前記当り判定で当りと判定されたときの遊技状態の有利度合いが大きいほど、付与される特典の有利度合いも大きくなることを要旨とする。
【手続補正６】
【補正対象書類名】明細書
【補正対象項目名】００１０
【補正方法】変更
【補正の内容】
【００１０】
請求項５に記載の発明は、請求項１〜請求項４のうちいずれか一項に記載の遊技機において、複数の図柄列で演出図柄を変動させて図柄組み合わせを導出させる図柄組み合わせゲームを表示装置にて行わせるようになっており、前記有利遊技状態と該有利遊技状態を除く遊技状態とで、前記低特典当りが決定されたときに導出される当りの図柄組み合わせを異ならせる一方で、前記有利遊技状態と該有利遊技状態を除く遊技状態とで、前記同じ特典を付与する当りが決定されたときに導出される当りの図柄組み合わせを同一としたことを要旨とする。
【手続補正書】
【提出日】平成26年1月30日(2014.1.30)
【手続補正１】
【補正対象書類名】特許請求の範囲
【補正対象項目名】請求項１
【補正方法】変更
【補正の内容】
【請求項１】
図柄変動ゲームの始動条件を付与する始動手段と、前記始動手段で遊技球が検知されたことに基づいて大当りか否かの大当り判定を行う当り判定手段と、前記大当り判定の判定結果を導出する判定結果導出ゲームを表示可能な結果表示装置と、前記結果表示装置にて判定結果導出ゲームを行わせる表示制御手段と、前記大当り判定で大当りと判定された場合に開放される入賞手段と、前記入賞手段を開放するラウンド遊技により構成される大当り遊技を実行させる当り遊技制御手段と、を備えた遊技機において、
前記結果表示装置にて、前記判定結果導出ゲームとして図柄を変動表示することで遊技の進行状態を認識可能な第１遊技演出期間を設定する第１期間設定手段と、
前記結果表示装置にて、前記第１遊技演出期間に比して図柄の変動状態を認識し難くした第２遊技演出期間を設定する第２期間設定手段と、
前記判定結果導出ゲーム中に行われる遊技演出の展開によって遊技の進行状態を認識可能な特別演出の演出内容を、前記大当り判定の判定結果に従って決定する特別演出決定手段と、
前記特別演出がどのような結果となると大当りに期待を持つことができるのかを説明する説明演出を、大当り遊技中に実行させる説明演出制御手段と、を備え、
前記表示制御手段は、前記第２期間設定手段によって前記第２遊技演出期間が設定されたことを契機に、前記第２遊技演出期間中の前記判定結果導出ゲームを、前記大当り判定の判定結果を反映した特別演出の内容で実行させることを特徴とする遊技機。
【手続補正２】
【補正対象書類名】特許請求の範囲
【補正対象項目名】請求項２
【補正方法】変更
【補正の内容】
【請求項２】
前記表示制御手段は、
前記第２遊技演出期間が設定されている場合、前記第２遊技演出期間中、前記特別演出を前記結果表示装置にて表示させることで前記大当り判定の判定結果を導出する一方、前記第１遊技演出期間が設定されている場合、前記第１遊技演出期間中、前記特別演出を実行させず、前記結果表示装置にて図柄を変動表示させることで前記大当り判定の判定結果を導出することを特徴とする請求項１に記載の遊技機。
【手続補正３】
【補正対象書類名】特許請求の範囲
【補正対象項目名】請求項３
【補正方法】変更
【補正の内容】
【請求項３】
前記大当り判定の判定結果を報知する本図柄を表示させる本図柄表示装置を備え、
前記結果表示装置にて、前記判定結果導出ゲームとして図柄の変動表示が行われる場合、複数の図柄列で演出図柄が変動表示され、前記演出図柄によって形成される図柄組み合わせは前記本図柄と対応関係にあるとともに、
前記演出図柄は、
前記複数の図柄列で導出される飾り図柄と、
前記飾り図柄及び前記本図柄とは異なる図柄であって、前記大当り判定の判定結果を報知する補助図柄と、によって構成され、
前記表示制御手段は、前記第２遊技演出期間が設定されている場合、前記第２遊技演出期間中、前記飾り図柄を遊技者に視認し難くして、前記補助図柄によって前記大当り判定の判定結果を報知することを特徴とする請求項１又は請求項２に記載の遊技機。
【手続補正４】
【補正対象書類名】明細書
【補正対象項目名】０００６
【補正方法】変更
【補正の内容】
【０００６】
上記問題点を解決するために、請求項１に記載の発明は、図柄変動ゲームの始動条件を付与する始動手段と、前記始動手段で遊技球が検知されたことに基づいて大当りか否かの大当り判定を行う当り判定手段と、前記大当り判定の判定結果を導出する判定結果導出ゲームを表示可能な結果表示装置と、前記結果表示装置にて判定結果導出ゲームを行わせる表示制御手段と、前記大当り判定で大当りと判定された場合に開放される入賞手段と、前記入賞手段を開放するラウンド遊技により構成される大当り遊技を実行させる当り遊技制御手段と、を備えた遊技機において、前記結果表示装置にて、前記判定結果導出ゲームとして図柄を変動表示することで遊技の進行状態を認識可能な第１遊技演出期間を設定する第１期間設定手段と、前記結果表示装置にて、前記第１遊技演出期間に比して図柄の変動状態を認識し難くした第２遊技演出期間を設定する第２期間設定手段と、前記判定結果導出ゲーム中に行われる遊技演出の展開によって遊技の進行状態を認識可能な特別演出の演出内容を、前記大当り判定の判定結果に従って決定する特別演出決定手段と、前記特別演出がどのような結果となると大当りに期待を持つことができるのかを説明する説明演出を、大当り遊技中に実行させる説明演出制御手段と、を備え、前記表示制御手段は、前記第２期間設定手段によって前記第２遊技演出期間が設定されたことを契機に、前記第２遊技演出期間中の前記判定結果導出ゲームを、前記大当り判定の判定結果を反映した特別演出の内容で実行させることを要旨とする。
【手続補正５】
【補正対象書類名】明細書
【補正対象項目名】０００７
【補正方法】変更
【補正の内容】
【０００７】
請求項２に記載の発明は、請求項１に記載の遊技機において、前記表示制御手段は、前記第２遊技演出期間が設定されている場合、前記第２遊技演出期間中、前記特別演出を前記結果表示装置にて表示させることで前記大当り判定の判定結果を導出する一方、前記第１遊技演出期間が設定されている場合、前記第１遊技演出期間中、前記特別演出を実行させず、前記結果表示装置にて図柄を変動表示させることで前記大当り判定の判定結果を導出することを要旨とする。
【手続補正６】
【補正対象書類名】明細書
【補正対象項目名】０００８
【補正方法】変更
【補正の内容】
【０００８】
請求項３に記載の発明は、請求項１又は請求項２に記載の遊技機において、前記大当り判定の判定結果を報知する本図柄を表示させる本図柄表示装置を備え、前記結果表示装置にて、前記判定結果導出ゲームとして図柄の変動表示が行われる場合、複数の図柄列で演出図柄が変動表示され、前記演出図柄によって形成される図柄組み合わせは前記本図柄と対応関係にあるとともに、前記演出図柄は、前記複数の図柄列で導出される飾り図柄と、前記飾り図柄及び前記本図柄とは異なる図柄であって、前記大当り判定の判定結果を報知する補助図柄と、によって構成され、前記表示制御手段は、前記第２遊技演出期間が設定されている場合、前記第２遊技演出期間中、前記飾り図柄を遊技者に視認し難くして、前記補助図柄によって前記大当り判定の判定結果を報知することを要旨とする。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
柱状の木材と、該木材に外嵌された金属製の中空筒状の枠体とを備え、衝突時の衝撃を軸方向の圧縮荷重として受ける車両の衝撃吸収部材であって、
前記枠体は正四角筒状であり、前記枠体の（正四角形の一辺の外寸／厚み）比が９〜１２であることを特徴とする車両の衝撃吸収部材。
【請求項２】
柱状の木材と、該木材に外嵌された金属製の中空筒状の枠体とを備え、衝突時の衝撃を軸方向の圧縮荷重として受ける車両の衝撃吸収部材であって、
前記枠体は楕円筒状であり、該楕円形の内寸の（長径／短径）比が３以下であることを特徴とする車両の衝撃吸収部材。
【手続補正２】
【補正対象書類名】明細書
【補正対象項目名】０００８
【補正方法】変更
【補正の内容】
【０００８】
第２の発明は、柱状の木材と、該木材に外嵌された金属製の中空筒状の枠体とを備え、衝突時の衝撃を軸方向の圧縮荷重として受ける車両の衝撃吸収部材であって、前記枠体は楕円筒状であり、該楕円形の内寸の（長径／短径）比が３以下であることを特徴とする車両の衝撃吸収部材である。
【手続補正３】
【補正対象書類名】明細書
【補正対象項目名】００１４
【補正方法】変更
【補正の内容】
【００１４】
枠体３１は、正四角筒状、すなわち軸方向に直交する平断面が正四角形の中空筒状であり、厚みが均一な中空筒状である。枠体３１は、木材２１を支持することができるとともに、軸方向の圧縮荷重を受けて木材２１とともに変形することのできるものであり、例えば、アルミニウムや銅、鉄などの金属からなる。枠体３１は、木材２１の外側に隙間無く嵌っており、木材２１の外周面全体を過不足無く覆っている。
【手続補正４】
【補正対象書類名】明細書
【補正対象項目名】００３８
【補正方法】変更
【補正の内容】
【００３８】
表３に示される結果から、正四角形の一辺の外寸Ｌや軸方向長さを変更しても、（正四角形の一辺の外寸Ｌ／厚みＴ）比が９〜１２でありさえすれば、枠体が、全周が外側に拡がるように膨らむ変形を繰り返しながら潰れ、内側には入り込まないことが確認された。図１７に、代表して、枠体Ｋの圧縮後の状態を写真で示す。
【手続補正書】
【提出日】平成26年10月22日(2014.10.22)
【手続補正１】
【補正対象書類名】明細書
【補正対象項目名】００７４
【補正方法】変更
【補正の内容】
【００７４】
表１に示す通り、射出成形金型を構成するコアの表面粗さＲｚが５０μｍ以下の場合には、プレフィルドシリンジ用外筒の透明性が高くなる。また、実施例１〜５と実施例６とから、コアの表面粗さが３０μｍ以下であり、金型のコアに潤滑性硬質皮膜が形成されていない場合には、離型抵抗値が大きくなることが確認された。また、実施例１と実施例２〜５とから、潤滑性硬質皮膜の形成により離型抵抗値が低くなることが確認されると同時に、実施例１は潤滑性硬質皮膜が形成されていないにもかかわらず、透明性に優れ、離型抵抗値も実施例２〜５よりもやや高い程度であることが確認された。
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
飲料を製造するためのタンクの中における液の状態を検査する検査方法であって、
前記タンクの中の複数の箇所における液の状態を示す情報を得る工程を含むことを特徴とする検査方法。
【請求項２】
前記タンクの中の前記複数の箇所は、前記タンクの中における高さが互いに異なる複数の位置を含む、
ことを特徴とする請求項１に記載の検査方法。
【請求項３】
前記タンクには、前工程における処理を終えたｎバッチ分（ｎは自然数）の液が該処理を終える度に供給され、
第ｉバッチの液が前記タンクに収容された状態における前記タンクの中の液の表面の高さをｈｉとし、ｈｉとｈ（ｉ−１）との間の位置をｐｉとし、ｈ０＝０とすると、
前記複数の箇所は、ｉ＝１〜ｎのすべてにおけるｐｉを含む、
ことを特徴とする請求項１又は２に記載の検査方法。
【請求項４】
前記工程では、前記タンクの中の前記複数の箇所のそれぞれから液をサンプリングし、前記複数の箇所のそれぞれからサンプリングしたそれぞれの液を検査する、
ことを特徴とする請求項１乃至３のいずれか１項に記載の検査方法。
【請求項５】
前記工程では、前記タンクの中の前記複数の箇所にそれぞれ配置された複数のセンサによって前記複数の箇所のそれぞれにおける液の状態を示す情報を取得する、
ことを特徴とする請求項１乃至３のいずれか１項に記載の検査方法。
【請求項６】
飲料を製造するためのタンクを含む製造設備であって、
前記タンクの中の複数の箇所における液の状態を示す情報を取得するための取得手段を備えることを特徴とする製造設備。
【請求項７】
前記タンクの中の前記複数の箇所は、前記タンクの中における高さが互いに異なる複数の位置を含む、
ことを特徴とする請求項６に記載の製造設備。
【請求項８】
前記タンクには、前工程における処理を終えたｎバッチ分（ｎは自然数）の液が該処理を終える度に供給され、
第ｉバッチの液が前記タンクに収容された状態における前記タンクの中の液の表面の高さをｈｉとし、ｈｉとｈ（ｉ−１）との間の位置をｐｉとし、ｈ０＝０とすると、
前記複数の箇所は、ｉ＝１〜ｎのすべてにおけるｐｉを含む、
ことを特徴とする請求項６又は７に記載の製造設備。
【請求項９】
前記取得手段は、前記タンクの中の前記複数の箇所のそれぞれから液をサンプリングするための複数のチューブを含む、
ことを特徴とする請求項６乃至８のいずれか１項に記載の製造設備。
【請求項１０】
前記取得手段は、前記タンクの中の前記複数の箇所にそれぞれ配置された複数のセンサによって前記複数の箇所における液の状態を示す情報を取得する、
ことを特徴とする請求項６乃至８のいずれか１項に記載の製造設備。
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
揮散性薬剤の担持体を支持あるいは収納可能な支持体であって、
前記支持体は紙繊維と水溶性高分子結合剤とを水で混練した主原料を成形し加熱乾燥して得たものである、ことを特徴とする揮発性薬剤用支持体。
【請求項２】
前記主原料は、前記紙繊維５０〜９０部と、前記水溶性高分子結合剤１０〜５０部とを合わせて１００部とした混合物に、水５０〜２００部を添加して混練してなる混練物である、ことを特徴とする請求項１に記載の揮発性薬剤用支持体。
【請求項３】
非アルカリ金属の長鎖脂肪酸塩を更に添加してある、ことを特徴とする請求項２に記載の揮発性薬剤用支持体。
【請求項４】
前記非アルカリ金属の長鎖脂肪酸塩は、前記紙繊維と前記水溶性高分子結合剤および水との混練物１００部に対して、０．２〜２．０部を添加してある、ことを特徴とする請求項３に記載の揮発性薬剤用支持体。
【請求項５】
前記水溶性高分子結合剤は、澱粉、ポリビニルアルコール、カルボキシメチルセルロースの何れか、又はこれらの組合せからなる、ことを特徴とする請求項１から４のいずれに記載の揮発性薬剤用支持体。
【請求項６】
前記水溶性高分子結合剤は、澱粉を主成分として形成してある、ことを特徴とする請求項５に記載の揮発性薬剤用支持体。
【請求項７】
前記水溶性高分子結合剤は、澱粉とポリビニルアルコールとを混合して形成してある、ことを特徴とする請求項６に記載の揮発性薬剤用支持体。
【請求項８】
前記水溶性高分子結合剤は、澱粉９０〜５０重量％とポリビニルアルコール１０〜５０重量％とを混合してある、ことを特徴とする請求項７に記載の揮発性薬剤用支持体。
【請求項９】
前記揮発性薬剤は、常温で揮散性のピレスロイド系薬剤である、ことを特徴とする請求項１〜８のいずれかに記載の揮発性薬剤用支持体。
【請求項１０】
前記揮散性薬剤を担持する担持体が支持体と一体に成形してある、ことを特徴とする請求項１〜９のいずれかに記載の揮発性薬剤用支持体。
【請求項１１】
請求項１〜１０のいずれかに記載の揮発性薬剤用の支持体は、前記揮散性薬剤の担持体を収納する空間を備えた容器を含む、ことを特徴とする揮発性薬剤用支持体。
【手続補正書】
【提出日】平成26年10月23日(2014.10.23)
【手続補正１】
【補正対象書類名】明細書
【補正対象項目名】００１７
【補正方法】変更
【補正の内容】
【００１７】
圧縮空気導入管９１３に導入される圧縮空気としては、圧力損失を見越した上で、エアロゾルの生成に必要な圧力を十分に備えた圧縮空気が、予め準備される必要がある。したがって、ネブライザキット１０００Ｚのような従来のネブライザキットにおいては、大きな流量を有する圧縮空気を生成するために、容量（流量）および大きさの大きなコンプレッサー等を用いることが必要であった。
【手続補正２】
【補正対象書類名】明細書
【補正対象項目名】０１７３
【補正方法】変更
【補正の内容】
【０１７３】
［実施の形態２５］
図５８および図５９を参照して、本実施の形態について説明する。本実施の形態におけるネブライザキットは、上述の実施の形態２２における粒子選別部３００Ｇ（図４６等参照）の代わりに粒子選別部３００Ｋを備え、流路形成体４００Ｇ（図４６等参照）の代わりに流路形成体４００Ｋを備える。
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
ハニカムコアの上下面を表皮で挟んだサンドイッチパネルであって、
前記ハニカムコアを構成する筒状のセルの側面に、前記筒状のセルの上下開口部のいずれか一方の開口部をなす辺の一部から切り込まれた切り口が形成されていることを特徴とするサンドイッチパネル。
【請求項２】
前記切り口は空気が通る経路であって、
前記ハニカムコアの内部と外気の間に圧力差がある場合に、前記ハニカムコアの内部の空気は、前記切り口を通って前記ハニカムコアの外部に放出されることを特徴とする請求項１記載のサンドイッチパネル。
【請求項３】
前記ハニカムコアを構成する筒状のセルの側面には、前記いずれか一方の開口部の、他方の開口部をなす辺の一部から切り込まれた切り口が形成されていることを特徴とする請求項１、２のいずれか記載のサンドイッチパネル。
【請求項４】
前記切り口の形状は、スリット状であるか、あるいは、直線の切れ目であることを特徴とする請求項１〜３のいずれか記載のサンドイッチパネル。
【請求項５】
前記切り口は、刃物の刃先を前記開口部をなす辺の一部に当てて加工されていることを特徴とする請求項１〜４のいずれか記載のサンドイッチパネル。
【請求項６】
前記切り口には前記切り口の形状と略同一の形状で前記セルの材質と同一の材質の部材片が付着していることを特徴とする請求項１〜５のいずれか記載のサンドイッチパネル。
【請求項７】
前記ハニカムコアの材質は、
繊維素材を樹脂と複合化させた複合材であって、ＣＦＲＰ（カーボン繊維強化プラスチック）、ＧＦＲＰ（ガラス繊維強化プラスチック）、ＱＦＲＰ（クォーツ繊維強化プラスチック）のいずれか、
あるいは、
アラミド繊維素材を樹脂と複合化させたＡＦＲＰ（アラミド繊維強化プラスチック）、
であることを特徴とする請求項１〜６のいずれか記載のサンドイッチパネル。
【請求項８】
ハニカムコアを構成する筒状のセルの側面に、前記筒状のセルの上下開口部のいずれか一方の開口部をなす辺の一部から切り込まれた切り口が形成されていることを特徴とするハニカムコア。
【手続補正２】
【補正対象書類名】明細書
【補正対象項目名】００１２
【補正方法】変更
【補正の内容】
【００１２】
この発明に係るサンドイッチパネルは、ハニカムコアの上下面を表皮で挟んだサンドイッチパネルであって、
前記ハニカムコアを構成する筒状のセルの側面に、前記筒状のセルの上下開口部のいずれか一方の開口部をなす辺の一部から切り込まれた切り口が形成されているようにした。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
上流側から下流側へと搬入された被削材をパスライン上で位置決めする送りバイスと、
一対のホイールに掛け回され、ひねられていない状態で回転走行し、前記パスラインの上方から下降して、前記送りバイスによって位置決めされた前記被削材を前記ホイールの径未満の長さで切断する帯鋸刃と、
前記被削材をクランプするバイスジョーを有し、前記帯鋸刃によって前記被削材を切断する切断完了前に前記被削材の切断位置よりも下流側をクランプして切断完了後もクランプを維持し、前記被削材を切断した製品をクランプしたまま下降して前記製品を前記パスラインより下方に搬出する製品搬出バイスと、
を備えることを特徴とする帯鋸盤。
【請求項２】
上流側から下流側へと下降するように傾斜した傾斜面を有する製品搬出フレームを備え、
前記製品をクランプした前記製品搬出バイスを前記傾斜面に沿って搬出する
ことを特徴とする請求項１記載の帯鋸盤。
【請求項３】
前記製品をクランプした前記製品搬出バイスを垂直方向に下降させる垂直移動機構と、
前記垂直移動機構によって下降させた前記製品搬出バイスを下流側へと水平方向に移動させる水平移動機構と、
を備えることを特徴とする請求項１記載の帯鋸盤。
【請求項４】
前記製品搬出バイスは、前記被削材を下方から支持する支持台を有することを特徴とする請求項１〜３のいずれか１項に記載の帯鋸盤。
【請求項５】
前記帯鋸刃が前記被削材の切断を完了した下降端に位置している状態で前記製品搬出バイスを搬出したとき、前記バイスジョーの上端部が前記帯鋸刃に干渉しないように構成されていることを特徴とする請求項１〜４のいずれか１項に記載の帯鋸盤。
【請求項６】
前記帯鋸刃が前記被削材の切断を完了した下降端に位置している状態から前記帯鋸刃を上昇させて前記パスラインから退避させる際に、前記製品をクランプした前記製品搬出バイスを、前記製品の上端部が前記帯鋸刃に干渉しないタイミングで下降させることを特徴とする請求項１〜５のいずれか１項に記載の帯鋸盤。
【請求項７】
前記製品搬出バイスによって搬出した前記製品を回収する製品回収装置を備えることを特徴とする請求項１〜６のいずれか１項に記載の帯鋸盤。
【請求項８】
上流側から下流側へと搬入された被削材を送りバイスによってパスライン上で位置決めする位置決め工程と、
一対のホイールに掛け回され、ひねられていない状態で回転走行する帯鋸刃を前記パスラインの上方から下降させて、前記位置決め工程にて位置決めされた前記被削材を前記ホイールの径未満の長さで切断する切断工程と、
前記切断工程による切断完了前に、前記被削材をクランプする製品搬出バイスによって前記被削材の切断位置よりも下流側をクランプするクランプ工程と、
前記切断工程にて前記被削材を切断した製品を前記製品搬出バイスによってクランプしたまま下降させて、前記製品を前記パスラインより下方に搬出する搬出工程と、
を含む帯鋸盤の制御方法。
【請求項９】
前記搬出工程は、前記製品をクランプした前記製品搬出バイスを、上流側から下流側へと下降するように傾斜した傾斜面に沿って搬出することを特徴とする請求項８記載の帯鋸盤の制御方法。
【請求項１０】
前記搬出工程は、
前記製品をクランプした前記製品搬出バイスを垂直方向に下降させる垂直移動工程と、
前記垂直移動工程にて下降させた前記製品搬出バイスを下流側へと水平方向に移動させる水平移動工程と、
を含むことを特徴とする請求項８記載の帯鋸盤の制御方法。
【請求項１１】
前記搬出工程にて搬出した前記製品を回収する製品回収工程をさらに含むことを特徴とする請求項８〜１０のいずれか１項に記載の帯鋸盤の制御方法。
【請求項１２】
前記位置決め工程と、前記切断工程と、前記クランプ工程と、前記搬出工程と、前記製品回収工程とを順次繰り返し、
次の前記クランプ工程にて前記被削材をクランプするために、前記製品回収工程にて前記製品を回収した後の前記製品搬出バイスを、次の前記切断工程による切断完了前に次の前記位置決め工程によって位置決めされた前記被削材をクランプする位置に戻す戻し工程をさらに含む、
ことを特徴とする請求項８〜１１のいずれか１項に記載の帯鋸盤の制御方法。
【請求項１３】
前記戻し工程は、前記製品搬出バイスが有する支持台によって前記被削材を下方から支持することを特徴とする請求項１２記載の帯鋸盤の制御方法。
【請求項１４】
前記切断工程による切断完了後に前記帯鋸刃を前記パスラインの上方へと退避させる退避工程をさらに含み、
前記搬出工程は、前記退避工程にて前記帯鋸刃を退避させる際に、前記製品をクランプした前記製品搬出バイスを、前記製品の上端部が前記帯鋸刃に干渉しないタイミングで下降させることを特徴とする請求項８〜１３のいずれか１項に記載の帯鋸盤の制御方法。
【請求項１５】
前記退避工程の前に、前記送りバイスによって前記被削材を上流側に移動させ、前記製品搬出バイスによって前記製品を下流側に移動させる退避準備工程をさらに含むことを特徴とする請求項８〜１４のいずれか１項に記載の帯鋸盤の制御方法。
【手続補正２】
【補正対象書類名】明細書
【補正対象項目名】００１９
【補正方法】変更
【補正の内容】
【００１９】
上記の帯鋸盤の制御方法において、前記搬出工程にて搬出した前記製品を回収する製品回収工程をさらに含むことが好ましい。
上記の帯鋸盤の制御方法において、前記位置決め工程と、前記切断工程と、前記クランプ工程と、前記搬出工程と、前記製品回収工程とを順次繰り返し、次の前記クランプ工程にて前記被削材をクランプするために、前記製品回収工程にて前記製品を回収した後の前記製品搬出バイスを、次の前記切断工程による切断完了前に次の前記位置決め工程によって位置決めされた前記被削材をクランプする位置に戻す戻し工程をさらに含むことが好ましい。
【手続補正３】
【補正対象書類名】明細書
【補正対象項目名】００２３
【補正方法】削除
【補正の内容】
【手続補正４】
【補正対象書類名】明細書
【補正対象項目名】００７４
【補正方法】変更
【補正の内容】
【００７４】
昇降装置５０の下流側には、製品回収装置６０が配置されている。製品回収装置６０は製品回収装置４０と同様の構成であり、フレーム６１上に配置された製品回収コンベア６２よりなる。製品回収コンベア６２は複数のローラ６２ｒを有する。製品回収装置６０を製品回収装置４０’と同様、製品回収アームを用いた構成としてもよい。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
記録装置本体に対して記録媒体を給送する複数のトラクターと、
複数の前記トラクターを切り替える切替機構と、を備え、
複数の前記トラクターは、上下方向に複数の段を構成するように配置され、かつ、他の前記トラクターよりも上方に位置する前記トラクターが給送する前記記録媒体と、下方の
前記トラクターが給送する前記記録媒体とが接触しないよう構成されたこと、
を特徴とするトラクターユニット。
【請求項２】
各々の前記トラクターは下方から前記記録媒体を引き上げて給送し、他の前記トラクターよりも上方に位置する前記トラクターが前記記録媒体を引き上げる引上位置は、下方に位置する前記トラクターの引上位置よりも、前記記録装置本体から離れた側にあることを特徴とする請求項１記載のトラクターユニット。
【請求項３】
前記トラクターは、前記記録装置本体から遠い側に延設された突出部を有し、この突出部に、下方から引き上げられる前記記録媒体を案内するガイドが設けられたことを特徴とする請求項２記載のトラクターユニット。
【請求項４】
複数の前記トラクターのうち上方に位置する前記トラクターの前記突出部は、下方に位置する前記トラクターよりも、前記記録装置本体から離れた位置まで延設されたことを特徴とする請求項３記載のトラクターユニット。
【請求項５】
複数の前記トラクターは、上方に位置するものほど前記記録装置本体から離れるように、鉛直方向に対して斜めに並べて配置されたことを特徴とする請求項１から４のいずれかに記載のトラクターユニット。
【請求項６】
前記切替機構は、複数段の前記トラクターを上下方向に移動させる移動機構と、複数の前記トラクターのうち所定の高さ位置にある前記トラクターに対し駆動力を伝達する伝達機構とを備えることを特徴とする請求項１から５のいずれかに記載のトラクターユニット。
【請求項７】
記録装置本体に対して記録媒体を給送する複数のトラクターと、複数の前記トラクターを切り替える切替機構と、を備えたトラクターユニットを、記録装置本体に着脱可能に設け、
前記トラクターユニットは、
複数の前記トラクターが、上下方向に複数の段を構成するように配置され、かつ、他の前記トラクターよりも上方に位置する前記トラクターが給送する前記記録媒体と、下方の前記トラクターが給送する前記記録媒体とが接触しないよう構成されたこと、
を特徴とする記録装置。
【請求項８】
各々の前記トラクターは下方から前記記録媒体を引き上げて給送し、他の前記トラクターよりも上方に位置する前記トラクターが前記記録媒体を引き上げる引上位置は、下方に位置する前記トラクターの引上位置よりも、前記記録装置本体から離れた側にあることを特徴とする請求項７記載の記録装置。
【請求項９】
前記トラクターは、前記記録装置本体から遠い側に延設された突出部を有し、この突出部に、下方から引き上げられる前記記録媒体を案内するガイドが設けられたことを特徴とする請求項８記載の記録装置。
【請求項１０】
複数の前記トラクターのうち上方に位置する前記トラクターの前記突出部は、下方に位置する前記トラクターよりも、前記記録装置本体から離れた位置まで延設されたことを特徴とする請求項９記載の記録装置。
【請求項１１】
複数の前記トラクターは、上方に位置するものほど前記記録装置本体から離れるように、鉛直方向に対して斜めに並べて配置されたことを特徴とする請求項７から１０のいずれかに記載の記録装置。
【請求項１２】
前記切替機構は、複数段の前記トラクターを上下方向に移動させる移動機構と、複数の前記トラクターのうち所定の高さ位置にある前記トラクターに対し駆動力を伝達する伝達機構とを備えることを特徴とする請求項７から１１のいずれかに記載の記録装置。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
記録装置本体側に設けられた駆動力伝達部に当接した状態で、前記駆動力伝達部から駆動力を受けて記録媒体を搬送するトラクターを複数備え、
複数の前記トラクターは、前記駆動力伝達部が移動することで、当該駆動力伝達部に対して選択的に当接可能であり、かつ、前記記録装置本体において前記記録媒体を搬送する搬送ローラーのニップ部から各々の前記トラクターまでの距離が等しくなるように構成されたこと、
を特徴とするトラクターユニット。
【請求項２】
複数の前記トラクターは、各々の前記トラクターから前記搬送ローラーのニップ部に対し、ほぼ一定の角度で前記記録媒体が入る搬送経路を形成するように配置されることを特徴とする請求項１記載のトラクターユニット。
【請求項３】
複数の前記トラクターは、複数の前記トラクターから前記搬送ローラーのニップ部に至る複数の前記搬送経路が、前記ニップ部の上流において重なるように配置されることを特徴とする請求項２記載のトラクターユニット。
【請求項４】
記録媒体を搬送する複数のトラクターを備えたトラクターユニットを、記録装置本体に着脱可能に設け、
前記記録装置本体に、
前記トラクターに駆動力を伝達する駆動力伝達部と、
前記駆動力伝達部を移動させる移動機構と、
前記トラクターから給送される前記記録媒体を記録ヘッドに向けて搬送する搬送ローラーと、を備え、
各々の前記トラクターは、前記駆動力伝達部に接する被駆動部と、前記駆動力伝達部から前記被駆動部に伝わる駆動力により前記記録媒体を搬送する搬送機構とを備え、
複数の前記トラクターは、各々の前記トラクターから前記搬送ローラーのニップ部までの距離が等しく、かつ、前記移動機構により前記駆動力伝達部が移動する経路に沿って各々の前記トラクターの前記被駆動部が位置するように配置されたこと、
を特徴とする記録装置。
【請求項５】
各々の前記トラクターから前記搬送ローラーのニップ部に対し、ほぼ一定の角度で前記記録媒体が入る搬送経路を有することを特徴とする請求項４記載の記録装置。
【請求項６】
複数の前記トラクターから前記搬送ローラーのニップ部に至る複数の前記搬送経路が、
前記ニップ部の上流において重なることを特徴とする請求項５記載の記録装置。
【請求項７】
前記駆動力伝達部は回転する駆動ギヤで構成され、
前記トラクターの前記被駆動部は前記駆動ギヤとかみ合って回転するギヤで構成され、
前記移動機構は、前記駆動ギヤを、いずれかの前記トラクターの前記被駆動部とかみ合う位置に保持することを特徴とする請求項４から６のいずれかに記載の記録装置。
【請求項８】
前記移動機構は、前記記録装置本体または前記トラクターユニットに回転可能に取り付けられた回転部材と、前記回転部材の回転中心から外れた位置と前記駆動ギヤとを連結するリンクとを備えて構成されたことを特徴とする請求項７記載の記録装置。
【手続補正２】
【補正対象書類名】明細書
【補正対象項目名】０００５
【補正方法】変更
【補正の内容】
【０００５】
上記目的を達成するために、本発明は、記録装置本体側に設けられた駆動力伝達部に当接した状態で、前記駆動力伝達部から駆動力を受けて記録媒体を搬送するトラクターを複数備え、複数の前記トラクターは、前記駆動力伝達部が移動することで、当該駆動力伝達部に対して選択的に当接可能であり、かつ、前記記録装置本体において前記記録媒体を搬送する搬送ローラーのニップ部から各々の前記トラクターまでの距離が等しくなるように構成されたこと、を特徴とする。
本発明によれば、複数のトラクターのうち、使用するトラクターを簡単に切り換えることができる。また、トラクターの切り換えに伴って記録媒体を巻き取る場合に、切り換え前後のトラクターがどれであっても一定量の巻き取りを行えば良く、より簡単に使用するトラクターを切り換えることが可能となる。
【手続補正書】
【提出日】平成25年12月9日(2013.12.9)
【手続補正１】
【補正対象書類名】明細書
【補正対象項目名】００１５
【補正方法】変更
【補正の内容】
【００１５】
本発明の半導体モジュールでは上記の問題点を解決するため、還流ダイオードに負の温度特性を有するデバイスを用いる構成を有する。
【手続補正書】
【提出日】平成26年3月5日(2014.3.5)
【手続補正１】
【補正対象書類名】特許請求の範囲
【補正対象項目名】請求項３
【補正方法】変更
【補正の内容】
【請求項３】
前記保護部材は、ティース部の両側のスロットに亘ってＵの字状に形成され、端部がスロットに挿入されていることを特徴とする請求項１に記載の固定子。
【手続補正２】
【補正対象書類名】特許請求の範囲
【補正対象項目名】請求項４
【補正方法】変更
【補正の内容】
【請求項４】
前記ヨーク部およびティース部は、複数の鋼板を積層して形成されることを特徴とする請求項１〜３のいずれか一項に記載の固定子。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
車両の後方の情景を撮影した撮影画像を取得する撮影画像取得部と、
前記撮影画像に基づいて注目撮影画像を生成する注目撮影画像生成部と、
表示画面に表示されている画像の撮影領域が、前記撮影画像に対応する撮影領域か前記注目撮影画像に対応する撮影領域かを明示する撮影領域明示画像を生成すると共に、前記表示画面の表示が、前記撮影画像から前記注目撮影画像に変更される場合に、前記撮影領域明示画像のうち、前記注目撮影画像に対応する撮影領域のみを拡大する撮影領域明示画像生成部と、
前記撮影画像及び前記注目撮影画像の一方と、前記撮影領域明示画像とを合成して前記表示画面に表示させる合成画像生成部と、
を備える撮影領域明示装置。
【請求項２】
前記撮影領域明示画像生成部は、前記拡大を行う前に、前記撮影領域明示画像の少なくとも一部を点滅させる請求項１に記載の撮影領域明示装置。
【請求項３】
前記撮影領域明示画像は半透明であり、前記表示画面に表示されている画像に重畳して表示される請求項１又は２に記載の撮影領域明示装置。
【請求項４】
前記撮影領域明示画像には、少なくとも前記車両の後部の鳥瞰画像が含まれる請求項１から３のいずれか一項に記載の撮影領域明示装置。
【請求項５】
前記撮影領域明示画像は、前記表示画面の上部に配置される請求項１から４のいずれか一項に記載の撮影領域明示装置。